(57)【要約】【課題】他の施設情報提示装置のユーザと合流した上で到着希望時間までに到着可能な施設に関する施設情報を予め検索することのできる施設情報提示装置及び施設情報提示システムを提供する。【解決手段】情報サーバ３０は、携帯器１０及び車載器２０のうち検索条件を入力した施設情報提示装置のユーザが現在地を出発して合流地点Ｊに到達する時間である第１予想合流時間ｔ１を予想する第１予想部３０５ａと、携帯器１０及び車載器２０のうち検索条件を入力しなかった施設情報提示装置のユーザが現在地を出発して合流地点Ｊに到達する時間である第２予想合流時間ｔ２を予想する第２予想手段３０５ｂとを備える。そして、情報サーバ３０は、第１予想合流時間ｔ１及び第２予想合流時間ｔ２を比較し、最も遅い時間に前記合流地点を出発して到着希望時間ｔｗまでに到着可能な施設の施設情報を提示する。【選択図】図５
2009204528.tif 000002
【特許請求の範囲】
【請求項１】
入力された検索条件に適う施設を検索し、その施設に関する施設情報を提示する施設情報提示装置であって、
前記検索条件には、合流地点と、その合流地点を経由して到着する目的施設への到着希望時間とが含まれており、
ユーザが現在地を出発して前記合流地点に到達する時間である第１予想合流時間を予想する第１予想手段と、
他の施設情報提示装置のユーザが現在地を出発して前記合流地点に到達する時間である第２予想合流時間を予想する第２予想手段とを備え、
第１予想合流時間及び第２予想合流時間を比較し、最も遅い予想合流時間に前記合流地点を出発して前記到着希望時間までに到着可能な施設の施設情報を提示することを特徴とする施設情報提示装置。
【請求項２】
検索条件に適う施設に関する施設情報を検索するサーバと、入力された検索条件及び現在地を前記サーバへ送信するとともに、そのサーバから前記施設情報を受信し、受信した施設情報を提示する複数の施設情報提示装置とを含んで構成される施設情報提示システムであって、
前記検索条件として、合流地点と、その合流地点を経由して到着する目的施設への到着希望時間とが含まれており、
前記サーバは、前記複数の施設情報提示装置から前記検索条件を受信した場合、各施設情報提示装置のユーザが現在地を出発して前記合流地点に到達する時間である予想合流時間をそれぞれ予想し、予想した複数の予想合流時間のうち最も遅い予想合流時間に前記合流地点を出発して前記到着希望時間までに到着可能な施設の施設情報を提示することを特徴とする施設情報提示システム。
【発明の詳細な説明】
【技術分野】
【０００１】
本発明は、入力された検索条件に適う施設を検索し、その施設に関する施設情報を提示する施設情報提示装置及び施設情報提示システムに関する。
【背景技術】
【０００２】
従来、この種の技術として、例えば特許文献１に記載のカーナビゲーション装置（車載器）が知られている。この文献に記載の技術では、センター（基地局）は、カーナビゲーション装置を搭載する車両からこの車両の現在地の情報を取得するとともに現在地周辺の施設（例えば店舗等）を検索する。そして、カーナビゲーション装置は、検索条件に適う施設情報をその表示部に提示する。
【０００３】
他にも、次のような技術も知られている。すなわち、センター（基地局）は、例えば携帯電話等の通信器からこの通信器の現在地の情報を取得するとともに現在地周辺の施設を検索する。そして、通信器は、検索条件に適う施設情報をその表示部に提示する。
【特許文献１】特開２００２−１６３５５０号公報
【発明の開示】
【発明が解決しようとする課題】
【０００４】
ところで、当該施設情報提示装置のユーザが現在地を出発して他の施設情報提示装置のユーザと合流し、その合流地点を出発（経由）して目的とする目的施設へ共に移動しようとすることがある。そして、他の施設情報提示装置のユーザと合流した上で到着希望時間までに到着可能な目的施設を、当該施設情報提示装置のユーザが現在地を出発する前に予め検索したいという要望がある。
【０００５】
上記従来技術では、通常、当該施設情報提示装置の現在地が検索範囲の中心に固定されている。そのため、当該装置のユーザが現在地を出発する前に目的施設を予め検索しようとすると、その現在地を含むことはもちろんのこと、上記合流地点を含む範囲まで検索範囲を拡大する必要がある。すると、検索範囲が不要に拡大されてしまうため、目的施設を的確に検索することが難しくなってしまう。
【０００６】
本発明は、こうした実情に鑑みてなされたものであり、その目的は、他の施設情報提示装置のユーザと合流した上で到着希望時間までに到着可能な施設に関する施設情報を予め検索することのできる施設情報提示装置及び施設情報提示システムを提供することにある。
【課題を解決するための手段】
【０００７】
こうした目的を達成するため、請求項１に記載の発明では、入力された検索条件に適う施設を検索し、その施設に関する施設情報を提示する施設情報提示装置であって、前記検索条件には、合流地点と、その合流地点を経由して到着する目的施設への到着希望時間とが含まれており、ユーザが現在地を出発して前記合流地点に到達する時間である第１予想合流時間を予想する第１予想手段と、他の施設情報提示装置のユーザが現在地を出発して前記合流地点に到達する時間である第２予想合流時間を予想する第２予想手段とを備え、第１予想合流時間及び第２予想合流時間を比較し、最も遅い時間に前記合流地点を出発して前記到着希望時間までに到着可能な施設の施設情報を提示することを特徴とする。
【０００８】
施設提示装置としてのこのような構成では、まず、合流地点及びその合流地点を経由して到着する目的施設への到着希望時間が検索条件として入力される。次に、ユーザがその現在地を出発して合流地点に到達する時間である第１予想合流時間が、第１予想手段によって予想され、他の施設情報提示装置のユーザが現在地を出発して合流地点に到達する時間である第２予想合流時間が、第２予想手段によって予想される。そして、第１予想合流時間及び第２予想合流時間が比較され、最も遅い時間に合流地点を出発して到着希望時間までに到着可能な施設の施設情報が提示される。これにより、提示される施設情報は、すべてのユーザが合流地点に到着した後に合流地点を出発して到着希望時間までに到着可能な範囲に存在する施設に限定されるので、ユーザに対して的確な範囲の施設情報を提示できることになる。
【０００９】
なお、たとえば車載型と携帯型など複数の施設情報提示装置を同一のユーザが所持することもあるが、本発明においても、他の施設情報提示装置のユーザは、本発明装置である施設情報提示装置のユーザと同一であってよい。この場合、後述するように、車両を徒歩で離れた運転者が用事を済ませた後に、徒歩で車両に向かい、その後、車両にて向かう目的地を検索する際に利用することができる。
【００１０】
上記施設情報提示装置は、他の施設情報提示装置のユーザの現在地をユーザの入力によって取得して第２予想合流時間を予想することができる。また、次に示すように、サーバが複数の施設情報提示装置から検索条件及び現在を取得して施設を検索してもよい。
【００１１】
すなわち、請求項２に記載の発明のように、検索条件に適う施設に関する施設情報を検索するサーバと、入力された検索条件及び現在地を前記サーバへ送信するとともに、そのサーバから前記施設情報を受信し、受信した施設情報を提示する複数の施設情報提示装置とを含んで構成される施設情報提示システムであって、前記検索条件として、合流地点と、その合流地点を経由して到着する目的施設への到着希望時間とが含まれており、前記サーバは、前記複数の施設情報提示装置から前記検索条件を受信した場合、各施設情報提示装置のユーザが現在地を出発して前記合流地点に到達する時間である予想合流時間をそれぞれ予想し、予想した複数の予想合流時間のうち最も遅い予想合流時間に前記合流地点を出発して前記到着希望時間までに到着可能な施設の施設情報を提示することとしてもよい。
【００１２】
施設提示システムとしてのこのような構成では、まず、合流地点及びその合流地点を経由して到着する目的施設への到着希望時間が、検索条件として、複数の施設情報提示装置によってサーバに送信される。同様に、複数の施設情報提示装置の現在地も、当該複数の施設情報提示装置によってサーバに送信される。次に、サーバは、複数の施設情報提示装置から検索条件を受信した場合、各施設情報提示装置のユーザが現在地を出発して合流地点に到達する時間である予想合流時間をそれぞれ予想する。そして、サーバは、予想した複数の予想合流時間のうち最も遅い予想合流時間に合流地点を出発して到着希望時間までに到着可能な施設の施設情報を提示する。これによっても、提示される施設情報は、すべてのユーザが合流地点に到着した後に合流地点を出発して到着希望時間までに到着可能な範囲に存在する施設に限定されるので、ユーザに対して的確な範囲の施設情報を提示できることになる。
【発明を実施するための最良の形態】
【００１３】
以下、本発明に係る施設情報提示装置及び施設情報提示システムの一実施の形態について、図１〜図８を参照しつつ説明する。
【００１４】
図１は、本実施の形態の施設情報提示システムの使用例を示す模式図である。この図１に示されるように、携帯器のユーザＡが合流地点Ｊまで徒歩にて移動した後、この合流地点Ｊまで迎えに来た、車載器のユーザＢが運転する車両を利用して目的施設Ｇへ移動しようとする場合に使用される。
【００１５】
以下、図２〜図５を参照して、本実施の形態の施設情報提示システムの構成及び各構成要素の機能について説明する。なお、図２は、本実施の形態の施設情報提示システムの全体構成を示すブロック図であり、図３〜図５は、本実施の形態の施設情報提示システムを構成する携帯器及び車載器並びに情報サーバについて、各構成を示すブロック図である。
【００１６】
図２に示されるように、施設情報提示システム１は、例えば携帯電話等の携帯器（施設情報提示装置）１０と、図示しない車両に搭載されるカーナビゲーション装置等の車載器（施設情報提示装置）２０と、図示しない基地局内に配設される情報サーバ３０と、ＧＰＳ衛星４０とを備える。なお、ＧＰＳ衛星４０については公知であるので詳しい説明を割愛する。
【００１７】
詳しくは、携帯器１０は、図３に示すように、入力部１０１、ＧＰＳ受信器１０２、通信部１０３、表示部１０４及び制御部１０５を備える。ここで、携帯器１０は、当該携帯器１０のユーザＡによって入力部１０１を介して目的施設Ｇの検索条件が入力される。ＧＰＳ受信部１０２は、携帯器１０の現在地をＧＰＳ衛星４０から受信する。通信部１０３は、ＧＰＳ受信部１０２によって取得された当該携帯器１０の現在地や入力部１０１を介して入力された目的施設Ｇの検索条件を情報サーバ３０に送信したり、情報サーバ３０による検索結果や車載器２０の現在地を受信したりする。表示部１０４は、情報サーバ３０による目的施設Ｇの検索結果や車載器２０の現在地を当該携帯器１０のユーザが視認できるように表示する。制御部１０５は、上記構成要素（入力部１０１〜表示部１０４）を制御するものであり、具体的な処理手順については図６を参照しつつ後述する。
【００１８】
車載器２０は、図４に示すように、上記携帯器１０（図３参照）に準じた構成を有する。すなわち、車載器２０は、入力部２０１、ＧＰＳ受信器２０２、通信部２０３、表示部２０４及び制御部２０５を備える。ここで、車載器２０は、当該車載器２０のユーザによって入力部２０１を介して目的施設Ｇの検索条件が入力される。ＧＰＳ受信部２０２は、車載器２０の現在地をＧＰＳ衛星４０から受信する。通信部２０３は、ＧＰＳ受信部１０２によって取得された当該車載器２０の現在地や入力部２０１を介して入力された施設の検索条件を情報サーバ３０による検索結果や携帯器１０の現在地を受信したりする。表示部２０４は、情報サーバ３０による施設の検索結果や携帯器１０の現在地を、当該車載器２０のユーザが視認できるように表示する。制御部２０５は、上記構成要素（入力部２０１〜表示部２０４）を制御するものであり、具体的な処理手順については図７を参照しつつ後述する。
【００１９】
本実施の形態では、携帯器１０及び車載器２０のいずれか一方にのみ目的施設Ｇの検索条件を入力することができる。すなわち、ユーザＡが、目的施設Ｇの検索条件として、携帯器１０のユーザＡと車載器２０のユーザＢとの合流地点Ｊ、及び、ユーザＡがその現在地を出発して合流地点Ｊに到達し合流地点Ｊを経由した上で目的施設Ｇに到着するまでの到着希望時間を携帯器１０に入力するとき、ユーザＢは目的施設Ｇの検索条件を車載器２０に入力せず、携帯器１０に入力された目的施設Ｇの検索条件を当該携帯器１０が情報サーバ３０に送信する。一方、ユーザＢが、目的施設Ｇの検索条件として、携帯器１０のユーザＡと車載器２０のユーザＢとの合流地点Ｊ、及び、ユーザＢがその現在地を出発して合流地点Ｊに到達し合流地点Ｊを経由した上で目的施設Ｇへ到着するまでの到着希望時間を車載器２０に入力するとき、ユーザＡは目的施設Ｇの検索条件を携帯器１０に入力せず、車載器２０に入力された目的施設Ｇの検索条件を当該車載器２０が情報サーバに送信する。
【００２０】
情報サーバ３０は、図５に示すように、通信部３０３、演算制御部３０５、及び、地図情報を記憶保持する記憶保持部３０６を備える。
【００２１】
このうち、通信部３０３は、携帯器１０または車載器２０によって送信される上記目的施設Ｇの検索条件を受信する。また、通信部３０３は、携帯器１０の現在地を受信してこの携帯器１０の現在地を車載器２０へ送信したり、車載器２０の現在地を受信してこの車載器２０の現在地を携帯器１０へ送信したりする。さらに、通信部３０３は、演算制御部３０５によって検索された検索結果を携帯器１０及び車載器２０へ送信する。
【００２２】
演算制御部３０５は、第１予想部（第１予想手段）３０５ａ及び第２予想部（第２予想手段）３０５ｂを有する。第１予想部３０５ａは、上記検索条件の送信元である施設情報提示装置（携帯器１０または車載器２０）の現在地、合流地点Ｊの位置情報、上記検索条件の送信元である施設情報提示装置のユーザの移動手段（例えば徒歩）、及び、上記地図情報に基づいて、そのユーザが現在地を出発して合流地点Ｊに到達する時間である第１予想合流時間ｔ１を予想する。第２予想部３０５ｂは、上記検索条件の送信元でない施設情報提示装置（携帯器１０または車載器２０）の現在地、合流地点Ｊの位置情報、上記検索条件の送信元でない施設情報提示装置のユーザの移動手段（例えば車両）、及び、上記地図情報に基づいて、そのユーザが現在地を出発して合流地点Ｊに到達する時間である第２予想合流時間ｔ２を予想する。そして、演算制御部３０５は、第１予想合流時間ｔ１及び第２予想合流時間ｔ２を比較し、最も遅い時間に合流地点Ｊを出発して到着希望時間ｔｗまでに到着可能な施設を検索する。そして、演算制御部３０５は、携帯器１０及び車載器２０へ通信部３０３によってその検索結果を送信する。
【００２３】
以上のように構成された施設情報提示システム１の動作について、図６〜図８を併せ参照して説明する。ここで、図６は、携帯器１０が実行する処理の処理手順を示すフローチャートであり、図７は、車載器２０が実行する処理の処理手順を示すフローチャートである。また、図８は、情報サーバ３０が実行する処理の処理手順を示すフローチャートである。なお、既述したように、本実施の形態では、携帯器１０のユーザＡが合流地点Ｊまで徒歩にて移動した後、この合流地点Ｊまで迎えに来た、車載器２０のユーザＢが運転する車両を利用して目的施設Ｇへ移動しようとする場合に使用されることを想定している。そこで、これら両ユーザＡ及びＢは、ユーザＡが上記検索条件を携帯器１０に入力すること、及び、ユーザＢが上記検索条件を車載器２０に入力することのいずれか一方のみを行うことに合意しているものとする。
【００２４】
携帯器１０によって図６に示す処理がそれぞれ開始されると、まず、制御部１０５は、ステップＳ１０１の判断処理として、上記検索条件は携帯器１０に入力されるか否かを判断する。詳しくは、制御部１０５は、例えば「検索条件を入力しますか」旨を表示部１０４に表示すること等により、上記検索条件を携帯器１０に入力するか否かを決定するよう、当該携帯器１０のユーザＡに促す。
【００２５】
ここで、携帯器１０に検索条件を入力する旨が入力部１０１に入力されるとき（ステップＳ１０１の判断処理で「Ｙｅｓ」）、制御部１０５は、上記検索条件が携帯器１０に実際に入力されたと判断するまで、続くステップＳ１０２の判断処理を継続して実行する。そして、上記検索条件が携帯器１０に実際に入力されたと判断すると（ステップＳ１０２の判断処理で「Ｙｅｓ」）、制御部１０５は、続くステップＳ１０３の処理として、入力された検索条件を通信部１０３によって情報サーバ３０へ送信する。さらに、制御部１０５は、第１予想合流時間ｔ１を情報サーバ３０にて予想するため、続くステップＳ１０４の処理として、通信部１０３によって携帯器１０の現在地を情報サーバ３０へ送信する。
【００２６】
一方、先のステップＳ１０１の判断処理において、上記検索条件は携帯器１０に入力される旨が入力部１０１に入力されないとき（ステップＳ１０１の判断処理で「Ｎｏ」）、すなわち、上記検索条件は車載器２０に入力されるため、制御部１０５は、続くステップＳ１０５の処理として、第２予想合流時間ｔ２を情報サーバ３０にて予想するため、通信部１０３によって携帯器１０の現在地を情報サーバ３０へ送信する。
【００２７】
そして制御部１０５は、続くステップＳ１０６の判断処理を通じて、目的施設Ｇの検索結果及び車載器２０の現在地を情報サーバ３０から受信するまで待機する。これら検索結果及び現在地を受信すると（ステップＳ１０６の判断処理において「Ｙｅｓ」）、制御部１０５は、続くステップＳ１０７の処理として、目的施設Ｇの検索結果及び車載器２０の現在地を表示部１０４に表示する。これにより、ユーザＡは、検索条件に適う施設に関する施設情報の提示を受けることができるようになるとともに、車載器２０の現在地も知ることができるようになる。
【００２８】
また、制御部１０５は、車載器２０のユーザＢが携帯器１０の現在地を知ることができるようにするべく、ステップＳ１０８の処理として、携帯器１０の現在地を情報サーバ３０へ所定時間毎に送信する。さらに、制御部１０５は、続くステップＳ１０９の判断処理として、車載器２０の現在地を情報サーバ３０から受信するまで待機し、車載器２０の現在地を受信すると（ステップＳ１０９の判断処理において「Ｙｅｓ」）、制御部１０５は、続くステップＳ１０９の処理として、車載器２０の現在地を表示部１０４に表示する。
【００２９】
一方、車載器２０によって図７に示す処理がそれぞれ開始されると、まず、制御部２０５は、ステップＳ２０１の判断処理として、上記検索条件は車載器２０に入力されるか否かを判断する。詳しくは、制御部２０５は、例えば「検索条件を入力しますか」旨を表示部２０４に表示すること等により、上記検索条件を車載器２０に入力するか否かを決定するよう、当該車載器２０のユーザＢに促す。
【００３０】
ここで、車載器２０に検索条件を入力する旨が入力部２０１に入力されるとき（ステップＳ２０１の判断処理で「Ｙｅｓ」）、制御部２０５は、上記検索条件が車載器２０に実際に入力されたと判断するまで、続くステップＳ２０２の判断処理を継続して実行する。そして、上記検索条件が車載器２０に実際に入力されたと判断すると（ステップＳ２０２の判断処理で「Ｙｅｓ」）、制御部２０５は、続くステップＳ２０３の処理として、入力された検索条件を通信部２０３によって情報サーバ３０へ送信する。さらに、制御部２０５は、第１予想合流時間ｔ１を情報サーバ３０にて予想するため、続くステップＳ２０４の処理として、通信部２０３によって車載器２０の現在地を情報サーバ３０へ送信する。
【００３１】
一方、先のステップＳ２０１の判断処理において、上記検索条件は車載器２０に入力される旨が入力部２０１に入力されないとき（ステップＳ２０１の判断処理で「Ｎｏ」）、すなわち、上記検索条件は携帯器１０に入力されるため、制御部２０５は、続くステップＳ２０５の処理として、第２予想合流時間ｔ２を情報サーバ３０にて予想するため、通信部２０３によって車載器２０の現在地を情報サーバ３０へ送信する。
【００３２】
そして制御部２０５は、続くステップＳ２０６の判断処理を通じて、目的施設Ｇの検索結果及び携帯器１０の現在地を情報サーバ３０から受信するまで待機する。これら検索結果及び現在地を受信すると（ステップＳ２０６の判断処理において「Ｙｅｓ」）、制御部２０５は、続くステップＳ２０７の処理として、目的施設Ｇの検索結果及び携帯器１０の現在地を表示部２０４に表示する。これにより、ユーザＢは、検索条件に適う施設に関する施設情報の提示を受けることができるようになるとともに、携帯器１０の現在地も知ることができるようになる。
【００３３】
また、制御部２０５は、携帯器１０のユーザＡが車載器２０の現在地を知ることができるようにするべく、ステップＳ２０８の処理として、車載器２０の現在地を情報サーバ３０へ所定時間毎に送信する。さらに、制御部２０５は、続くステップＳ２０９の判断処理として、携帯器１０の現在地を情報サーバ３０から受信するまで待機し、携帯器１０の現在地を受信すると（ステップＳ２０９の判断処理において「Ｙｅｓ」）、制御部２０５は、続くステップＳ２０９の処理として、携帯器１０の現在地を表示部２０４に表示する。
【００３４】
他方、情報サーバ３０によって図８に示す処理がそれぞれ開始されると、まず、演算制御部３０５は、ステップＳ３０１の判断処理を通じて、上記検索条件並びに携帯器１０の現在地及び車載器２０の現在地を受信したか否かを判断する。なお、既述したように、上記検索条件は、携帯器１０によって送信（ステップＳ１０３の処理）、または、車載器２０によって送信（ステップＳ２０３の処理）される。また、携帯器１０の現在地は、当該携帯器１０によって送信され（ステップＳ１０４の処理またはＳ１０５の処理）、車載器２０の現在地は、当該車載器２０によって送信される（ステップＳ２０５またはステップＳ２０４の処理）。
【００３５】
ステップＳ３０１の判断処理において、演算制御部３０５は、携帯器１０の現在地及び車載器２０の現在地を受信するとともに、上記検索条件を携帯器１０から受信したとする（ステップＳ１０１の判断処理にて「Ｙｅｓ」、ステップＳ２０１の判断処理において「Ｎｏ」、ステップＳ３０１の判断処理において「Ｙｅｓ」）。
【００３６】
このとき、演算制御部３０５（詳しくは第１予想部３０５ａ）は、続くステップＳ３０２の処理として、携帯器１０の現在地、合流地点Ｊの位置情報、ユーザＡの移動手段、及び、上記地図情報に基づいて、携帯器１０のユーザＡがその現在地を出発して合流地点Ｊに到達する時間である第１予想合流時間ｔ１を予想する。
【００３７】
第１予想合流時間ｔ１を予想すると、演算制御部３０５（詳しくは第２予想部３０５ｂ）は、続くステップＳ３０３の処理として、車載器２０の現在地、合流地点Ｊの位置情報、ユーザＢの移動手段、及び、上記地図情報に基づいて、車載器２０のユーザＢがその現在地を出発して合流地点Ｊに到達する時間である第２予想合流時間ｔ２を予想する。
【００３８】
第２予想合流時間ｔ２を予想すると、演算制御部３０５は、続くステップＳ３０４の処理として、検索条件に適う施設を検索する。詳しくは、演算制御部３０５は、ステップＳ３０４の処理として、第１予想合流時間ｔ１及び第２予想合流時間ｔ２を比較し、最も遅い時間に合流地点Ｊを出発して到着希望時間ｔｗまでに到着可能な施設を検索する。
【００３９】
一方、先のステップＳ３０１の判断処理において、演算制御部３０５は、携帯器１０の現在地及び車載器２０の現在地を受信するとともに、上記検索条件を車載器２０から受信したとする（ステップＳ１０１の判断処理にて「Ｎｏ」、ステップＳ２０１の判断処理において「Ｙｅｓ」、ステップＳ３０１の判断処理において「Ｙｅｓ」）。
【００４０】
このとき、演算制御部３０５（詳しくは第１予想部３０５ａ）は、続くステップＳ３０２の処理として、車載器２０の現在地、合流地点Ｊの位置情報、ユーザＢの移動手段、及び、上記地図情報に基づいて、車載器２０のユーザＢがその現在地を出発して合流地点Ｊに到達する時間である第１予想合流時間ｔ１を予想する。
【００４１】
第１予想合流時間ｔ１を予想すると、演算制御部３０５（詳しくは第２予想部３０５ｂ）は、続くステップＳ３０３の処理として、携帯器１０の現在地、合流地点Ｊの位置情報、ユーザＡの移動手段、及び、上記地図情報に基づいて、携帯器１０のユーザＡがその現在地を出発して合流地点Ｊに到達する時間である第２予想合流時間ｔ２を予想する。
【００４２】
第２予想合流時間ｔ２を予想すると、演算制御部３０５は、続くステップＳ３０４の処理として、検索条件に適う施設を検索する。詳しくは、演算制御部３０５は、ステップＳ３０４の処理として、第１予想合流時間ｔ１及び第２予想合流時間ｔ２を比較し、最も遅い時間に合流地点Ｊを出発して到着希望時間ｔｗまでに到着可能な施設を検索する。
【００４３】
そして、演算制御部３０５は、続くステップＳ３０５の処理として、携帯器１０及び車載器２０へ通信部３０３によってその検索結果を送信する。この検索結果を受信することで、携帯器１０では、検索結果及び車載器２０の現在地が表示部１０４に表示され（ステップＳ１０６の判断処理及びステップＳ１０７の処理）、車載器２０では、検索結果及び携帯器１０の現在地が表示部２０４に表示される（ステップＳ２０６の判断処理及びステップＳ２０７の処理）。
【００４４】
演算制御部３０５は、続くステップＳ３０６〜Ｓ３０８の一連の処理を通じて、携帯器１０から現在地を受信してその位置に変化があると判断するとき、携帯器１０の現在地を車載器２０へ送信する。同様に、演算制御部３０５は、続くステップＳ３０９〜Ｓ３１１の一連の処理を通じて、車載器２０から現在地を受信してその位置に変化があると判断するとき、車載器２０の現在地を携帯器１０へ送信する。
【００４５】
以上説明したように、本実施の形態の施設提示システム１では、情報サーバ３０は、携帯器１０及び車載器２０のうち検索条件を入力した施設情報提示装置のユーザが現在地を出発して合流地点Ｊに到達する時間である第１予想合流時間ｔ１を予想する第１予想部３０５ａと、携帯器１０及び車載器２０のうち検索条件を入力しなかった施設情報提示装置のユーザが現在地を出発して合流地点Ｊに到達する時間である第２予想合流時間ｔ２を予想する第２予想部３０５ｂとを備え、第１予想合流時間ｔ１及び第２予想合流時間ｔ２を比較し、最も遅い時間に前記合流地点を出発して到着希望時間ｔｗまでに到着可能な施設の施設情報を提示することとした。これにより、他の施設情報提示装置のユーザが合流地点に到達するまで待機する待機時間が考慮されるようになり、他の施設情報提示装置のユーザと合流した上で到着希望時間までに到着可能な施設に関する施設情報を予め検索することができるようになる。
【００４６】
なお、本発明に係る施設情報提示装置及び施設情報提示システムは、上記実施の形態にて例示した構成に限定されるものではなく、本発明の趣旨を逸脱しない範囲において、種々に変形して実施することが可能である。すなわち、上記実施の形態を適宜変更した例えば次の形態として実施することもできる。
【００４７】
上記実施の形態では、先の図１に示したように、携帯器１０のユーザＡが合流地点Ｊまで徒歩にて移動した後、この合流地点Ｊまで迎えに来た、車載器のユーザＢが運転する車両を利用して目的施設Ｇへ移動しようとする場合に使用されていたが、使用例はこれに限らない。他に例えば、図１に対応する図として図９に示すように、施設情報提示システム１は、携帯器１０のユーザＡと車載器２０のユーザＢが同一である場合にも使用することができる。詳しくは、車載器２０が搭載されている自分の車（合流地点Ｊ）を徒歩で離れたユーザＡが用事を済ませた後に、徒歩で自分の車に向かい、その後、自分の車にて向かう目的地を検索する場合である。この場合にあっても、施設情報提示システムを使用することができる。
【００４８】
上記実施の形態では、目的施設Ｇの検索条件として、携帯器１０のユーザＡと車載器２０のユーザＢとの合流地点Ｊ、及び、ユーザＡあるいはユーザＢがその現在地を出発して合流地点Ｊに到達し合流地点Ｊを経由した上で目的施設Ｇに到着するまでの到着希望時間を採用していたが、これに限らない。他にも、目的施設Ｇの検索条件として、例えばレストランやショッピングセンター等、施設のジャンルも入力することとしてもよい。すなわち、検索条件は適宜追加可能である。
【００４９】
上記実施の形態では、複数の施設情報提示装置が検索条件を情報サーバ３０に送信し、受信した検索条件に適う施設を情報サーバ３０が検索していたが、この構成に限らない。他に例えば、複数の施設情報提示装置のうちの１つに上記情報サーバ３０の施設検索機能を持たせてもよい。すなわち、施設情報提示装置自体が第１予想手段及び第２予想手段を備え、第１予想合流時間ｔ１及び第２予想合流時間ｔ２を比較し、最も遅い時間に合流地点Ｊを出発して到着希望時間ｔｗまでに到着可能な施設の施設情報を提示することとしてもよい。これによっても、上記実施の形態に準じた作用効果を得ることができる。
【図面の簡単な説明】
【００５０】
【図１】本発明に係る施設情報提示システムの一実施の形態について、その使用例を示す模式図。
【図２】上記実施の形態の全体構成を示すブロック図。
【図３】上記実施の形態を構成する携帯器について、その構成を示すブロック図。
【図４】上記実施の形態を構成する車載器について、その構成を示すブロック図。
【図５】上記実施の形態を構成する情報サーバについて、その構成を示すブロック図。
【図６】上記実施の形態を構成する携帯器が実行する処理について、その処理手順を示すフローチャート。
【図７】上記実施の形態を構成する車載器が実行する処理について、その処理手順を示すフローチャート。
【図８】上記実施の形態を構成する情報サーバが実行する処理について、その処理手順を示すフローチャート。
【図９】上記実施の形態の他の使用例を示す模式図。
【符号の説明】
【００５１】
１…施設情報提示システム、１０…携帯器（施設情報提示装置）、２０…車載器（施設情報提示装置）、３０…情報サーバ、４０…ＧＰＳ衛星、１０１、２０１…入力部、１０２、２０２…ＧＰＳ受信器、１０３、２０３、３０３…通信部、１０４、２０４…表示部、１０５、２０５…制御部、３０５…演算制御部、３０５ａ…第１予想部（第１予想手段）、３０５ｂ…第２予想部（第２予想手段）、３０６…記憶保持部。
【図１】
2009204528.tif 000003
【図２】
2009204528.tif 000004
【図３】
2009204528.tif 000005
【図４】
2009204528.tif 000006
【図５】
2009204528.tif 000007
【図６】
2009204528.tif 000008
【図７】
2009204528.tif 000009
【図８】
2009204528.tif 000010
【図９】
2009204528.tif 000011